(57)【特許請求の範囲】
【請求項１】
横方向を長手方向とする矩形状の胴帯と、前記胴帯に対して固定されている横方向に開口している一対の開口部を有するお太鼓と、を備える和服用帯であって、
前記和服用帯が前記胴帯の一対の長辺部分を上下端部とする環状であって、かつ、前記胴帯が横方向に折り畳み代を有し、
前記折り畳み代は、胴帯の他の部分よりも薄手で構成されていることを特徴とする和服用帯。
【請求項２】
請求項１記載の和服用帯において、
前記お太鼓は、その内部に横方向の両方が開口している筒状または半筒状の径方向に側壁の少なくとも一部が伸縮自在な部材よりなる帯枕保持部を備えることを特徴とする和服用帯。
【発明の詳細な説明】
【技術分野】
【０００１】
本発明は、和服用の帯に関する。
【背景技術】
【０００２】
従来、和服用の帯が種々提案されている。
【０００３】
例えば、非特許文献１には、お太鼓と、一端において当該お太鼓と連結された胴に巻き付ける胴部分とを備える付け帯が提案されている。
【０００４】
非特許文献１の付け帯は、お太鼓の内部に第１のマジックテープ（登録商標）が取り付けられているとともに、胴部分の他端の裏側（内側）に第２のマジックテープが取り付けられている。
【０００５】
装着者は、和服を装着したのち、自身の背中において、お太鼓の内部に取り付けられた当該第１のマジックテープに、自身の身体の胴回りに巻き付けた胴部分の他端の裏側に取り付けられた第２のマジックテープとを接着させることにより、容易に帯を装着することが出来る。
【先行技術文献】
【非特許文献】
【０００６】
【非特許文献１】ｈｔｔｐ：／／ｗｗｗ．ｙｏｓｏｏｉ．ｃｏ．ｊｐ／ＳＨＯＰ／２０６９４１／５５０１５３／ｌｉｓｔ．ｈｔｍｌ
【発明の概要】
【発明が解決しようとする課題】
【０００７】
しかしながら、装着者の背中において帯を固定しようとする際、装着者からは当該マジックテープが見えないので、装着者は、手探りで当該第１のマジックテープ及び第２のマジックテープを接着しなければならない。
【０００８】
このため、熟練していない装着者の場合、装着者が意図しない位置で第１のマジックテープと第２のマジックテープとが連結されてしまうことにより、装着者に違和感を与えてしまったり、当該帯の装着状態が装着者の意図から大きくかい離してしまったりするおそれがあった。
【０００９】
そこで、本発明は、装着者の違和感を解消又は軽減しながら、装着者が容易に装着者の意図通りに装着できる和服用帯を提供することを目的とする。
【課題を解決するための手段】
【００１１】
当該構成の和服用帯によれば、装着者は、装着者の胴回りにおいて、当該和服用帯を装着者の胴回りにあったように胴帯の折り畳み代を折りたたんだのち、お太鼓の内部を通した紐状の帯締めを当該胴帯に巻き付けて結ぶことにより、当該折りたたまれた折り畳み代が胴帯の外側から装着者の胴に対して押さえつけられるように固定される。この結果、当該和服用帯が、装着者の胴回りにあった状態で装着者の胴体に対して固定される。
【００１２】
装着者は、折り畳み代を装着者の胴回りにあったように折りたたむだけで当該和服用帯を装着することができるので、和服用帯の装着に当たり、大きな違和感を覚えずに、装着者の意図通りに当該和服用帯を装着できる。
【００１３】
そして、装着後、装着者が何らかの所作（たとえばお辞儀など）を行う場合であっても、帯締めによって折り畳み代が装着者の胴に対して押さえつけられるように固定されているので、折り畳み代が緩むことがなく、和服用帯の装着状態が装着者の意図とかい離することが防止されうる。
【００１４】
この結果、装着者に与えられる違和感が解消又は軽減されながら、装着者は、容易に装着者の意図通りに和服用帯を装着することが出来る。
また、当該構成の和服用帯によれば、装着者は、帯締通し部により形成される通路に帯締めを通すことにより、帯締めのお太鼓（和服用帯）に対する相対的な位置が所定の位置に保持される。この結果、和服用帯に対して帯締めがずれることが防止されるので、帯締めの装着状態と装着者の意図とのかい離の発生が防止される。
また、和服用帯における折り畳み代は、胴帯の他の部分よりも薄手で構成されている。
【００１５】
本発明の和服用帯において、
前記お太鼓は、その内部に横方向の両方が開口している筒状または半筒状の径方向に側壁の少なくとも一部が伸縮自在な部材よりなる帯枕保持部を備えることが好ましい。
【００１６】
当該構成の和服用帯によれば、横方向の両方が開口している筒状または半筒状の径方向に側壁の少なくとも一部が伸縮自在な部材よりなる帯枕保持部は、その内部に種々の大きさ及び形状の帯枕を収容することが出来る。この結果、種々の大きさ及び形状の帯枕が、前記お太鼓の内部に適切に保持される。
【００１７】
この結果、装着者がお辞儀などの所作を行う際の帯枕のお太鼓に対する位置のずれの発生が防止され、ひいては帯枕の装着状態が装着者の意図とかい離することが防止されうる。
【００２０】
本発明の和服用帯において、
前記帯締通し部の通路は、前記帯締めを前記和服用帯の左右方向に対して非平行に保持するように、形成されていることが好ましい。
【００２１】
当該構成の和服用帯によれば、装着者は、帯締めを各帯締通しの通路に通すことにより、和服用帯の左右方向に対して斜めとなるように帯締めを締める等の装着者の好みに応じた帯締めの締め方を容易に行うことができる。
【図面の簡単な説明】
【００２２】
【図１】（ａ）は和服用帯の構成を示す図、（ｂ）は帯揚げにくるまれた帯枕を帯枕保持部に保持させるとともに及び帯締めを帯締保持部に保持させた状態を示す図。
【図２】（ａ）は和服用帯の装着の初期段階を示す図、（ｂ）は和服用帯の装着の中間段階を示す図、（ｃ）は和服用帯の装着の最終段階を示す図。
【図３】お太鼓の内部の第１面の構成の一例を示す図で、（ａ）が帯締通し部が１つの場合を示す図、（ｂ）が帯締通し部が上下に２つある場合を示す図。
【図４】お太鼓の内部の第１面の構成の一例を示す図で、（ａ）が帯締めが右斜め上に通過するように帯締通し部が構成されている場合を示す図、（ｂ）が帯締めが左斜め上に通過するように帯締通し部が構成されている場合を示す図。
【図５】お太鼓の内部の第１面の構成の一例を示す図で、複数の形態の帯締め通し部を有する場合を示す図。
【発明を実施するための形態】
【００２３】
図１〜図５を参照しながら、本発明の実施形態の和服用帯１について説明する。
【００２４】
（和服用帯の構成）
図１（ａ）に示されるように、和服用帯１は、胴帯２と、お太鼓３と、手先４とを備える。以下において、和服用帯１の各方向について、装着者が和服用帯１を装着した場合の装着者の左右方向、前後方向、上下方向に一致させるように、各方向を定義する。
【００２５】
（胴帯の構成）
胴帯２は、たとえば、絹織物若しくは毛織物等の布、皮革、合成繊維、紙又はゴム等の折り畳み可能な素材で形成された矩形状の帯の長手方向を丸め、当該帯の両端を縫合、接着又はクリップ留めその他の連結手段により半永久的に連結することにより、上下方向と平行な軸回り（以下、「胴帯２の周方向（径方向）回り」という。）の環状（楕円筒状）に形成されている。
【００２６】
この結果、和服用帯１も、胴帯２の上下端部を長辺部分とする環状に形成される。
【００２７】
胴帯２において、装着者の身体（又はその表面にまとわれた衣服）と接触する部分を内側といい、当該装着者の身体（又はその表面にまとわれた衣服）と接触しない部分（内側の反対部分）を外側という。
【００２８】
当該胴帯２の周方向（径方向）の大きさは、想定される装着者の胴回り（身体回り）の周方向よりもやや大きい。Ｓサイズ（小）、Ｍサイズ（中）、Ｌサイズ（大）等の複数レベルに区分けすることにより、胴帯２の周方向の大きさが一律に決定されてもよいし、オーダーメイドでそれぞれの装着者の大きさに応じて胴帯２の周方向の大きさが決定されてもよい。
【００２９】
胴帯２の高さは、装着者の身体の大きさに応じて決定されてもよいし、デザイン上の都合に応じて決定されてもよい。
【００３０】
胴帯２は、本実施形態では、連結部分以外の全部が折り畳み可能な折り畳み代として構成されているが、これに代えて、たとえば、胴帯２の周方向における一部を薄手部分で構成する一方残部を厚手部分で構成する、又は胴帯２の周方向における一部を可撓性の高い素材で構成する一方残部を可撓性の低い素材により構成するなどの胴帯２の周方向において可撓性が異なるように構成することにより、胴帯２の一部（上記例では、薄手部分又は可撓性が高い素材の部分）が折り畳み代として構成されていてもよい。
【００３１】
この場合、折り畳み代は、胴帯２のどの部分に設けられてもよいが、見た目及び折りたたみやすさとの兼ね合いで、お太鼓３の一方又は両方の開口部の近傍に設けられていることがより好ましい。
【００３２】
（お太鼓の構成）
お太鼓３は、絹織物若しくは毛織物等の布、皮革、合成繊維、紙又はゴム等の和服用の素材を、帯により形成されるお太鼓を模した形（左右方向と平行な軸回り（以下、「お太鼓３の周方向回り」という。）の楕円筒形状、又は左右方向からみて略Ｃ字形状）にすることにより形成されている。胴帯２とお太鼓３とは同一素材で構成されることが好ましい。お太鼓３は、横方向（左右方向）に開口している一対の開口部を有する。お太鼓３は素材の二枚重ねにより形成された２重太鼓であってもよいし、名古屋帯等を使用したときのお太鼓のように素材１枚で形成されたお太鼓であってもよい。
【００３３】
お太鼓３は、胴帯２と縫合、接着又はクリップ留めその他の連結手段により半永久的に連結されている。お太鼓３は、たとえば、その上端及び下端のそれぞれが、胴帯２の一部の上端及び下端のそれぞれと連結されることにより、胴帯２に連結されてもよい。また、これに代えて、お太鼓３の素材の両端を結ぶことにより、左右方向と平行な軸回りの楕円筒形状に形成し、胴帯２の短手方向の両端がお太鼓３に連結されてもよい。また、胴帯２及びお太鼓３のそれぞれが楕円筒状に形成され、夫々の１面を重ね合わせて前記連結手段により連結することにより、胴帯２とお太鼓３とが連結されてもよい。
【００３４】
お太鼓３は、その内部に、帯枕保持部３１を備える。
【００３５】
なお、ここで、お太鼓３の内部とは、装着時に、装着者の後方から観察したときに、お太鼓３によって隠される部分（楕円筒の内部）を言う。お太鼓３の内部は、胴帯２とお太鼓３との連結方法により、たとえば、後方の胴帯２の一部の外側及び手先４の一部の外側を含んで構成されてもよい。
【００３６】
（帯枕保持部の構成）
帯枕保持部３１は、図１（ａ）に示されるように、帯枕を保持するのに適した、左右方向におけるお太鼓３の中心付近かつ上方に設けられ、かつ、左右方向を高さ方向とする筒状に形成されている。帯枕保持部３１は、ゴム等の伸縮自在な部材（側壁）により構成されている。帯枕保持部３１は、横方向に開口している一対の開口部３１ａ、３１ｂを有する。
【００３７】
帯枕保持部３１は、使用が想定される帯枕（たとえば市販の帯枕）のうち、短手方向が最小である帯枕よりもやや小さな直径（円筒における直径）となるように構成されるとともに、使用が想定される帯枕のうち長手方向の長さが最小である帯枕よりも短い高さ（円筒における高さ）、かつ、幅広（円筒の高さが所定の高さ以上）となるように構成される。
【００３８】
帯枕保持部３１は、伸縮自在な素材により形成されているので、種々の大きさの帯枕を保持することが出来るとともに、幅広に形成されているので、帯枕の一か所をへこませることが軽減または防止されうる。
【００３９】
帯枕保持部３１は、横方向の両方が開口している筒状に形成されているが、これに代えて、その素材の上下端がお太鼓３に固定されることにより、横方向の両方が開口している半筒状に形成されてもよい。また、帯枕保持部３１は、その全部が伸縮自在な素材で構成される必要はなく、その一部だけが上下方向に伸縮自在な素材で構成され、残部が伸縮自在でない素材（絹織物若しくは毛織物等の布、皮革、合成繊維又は紙等）で構成されていてもよい。
【００４０】
（手先の構成）
手先４は、絹織物若しくは毛織物等の布、皮革、合成繊維、紙又はゴム等の和服用の素材を、帯により形成される手先を模した形（略長方形）にすることにより、設けられる。
【００４１】
手先４は、胴帯２と縫合、接着、クリップ留め、マジックテープ、雌雄一対のスナップ及びホック、ボタン及びボタン穴等の連結手段により連結されている。手先４は、胴帯２に代えて、お太鼓３に連結されていてもよい。
【００４２】
手先４の左右方向の幅は、お太鼓３の左右方向の幅よりも長く構成されている。このため、装着者の後方からみた場合に、手先４は、お太鼓３によって隠される部分（お太鼓３の内部に存在する部分）と、お太鼓３によって隠されない部分とに分けられる。
【００４３】
手先４の上下方向の幅は、胴帯２によりもやや小さく構成されている。
【００４４】
手先４には、帯締保持部４１が設けられている。
【００４５】
（帯締保持部の構成）
帯締保持部４１は、図３（ａ）に示されるように、手先４の外側、かつ、お太鼓３の内部、かつ、帯枕保持部３１の下方である、上下方向の中央付近に設けられ、かつ、お太鼓３と同一素材かつ同一模様で形成された、右帯締通し４１ａと左帯締通し４１ｂとを備える。
【００４６】
右帯締通し４１ａは、お太鼓３の内部（手先４の外側）における左右方向の中心よりやや右側に、左右方向の長さが上下方向の長さよりも短い略長方形の素材が、その上下において縫合、接着、クリップ留め、マジックテープ、雌雄一対のスナップ及びホック、ボタン及びボタン穴等の連結手段により手先４に連結されることにより形成される。
【００４７】
左帯締通し４１ｂは、右帯締通し４１ａと同様の構成を有するが、お太鼓３の内部における左右方向の中心を挟んで右帯締通し４１ａの左右方向の反対側に設けられている点で右帯締通し４１ａと相違する。
【００４８】
装着者が、和服用帯１の装着前に、予め右帯締通し４１ａ及び左帯締通し４１ｂのそれぞれと手先４の外側との間に形成される空間（通路）に帯締め５ｃを通しておく（以下、単に「帯締通し４１ａ、４１ｂに帯締めを通す」という。）ことにより、装着者が和服用帯１を装着する際、帯締め５ｃを簡易に手に取ることが出来る。
【００４９】
また、帯締通し４１ａ、４１ｂによって帯締め５ｃの上下方向の可動範囲が限定されるので、帯締めが装着者の意図と乖離して大きく上方向又は下方向にずれたりすることが防止される。
【００５０】
上記帯締通し４１ａ、４１ｂは、横方向の両方が開口している半筒状に形成されているが、これに代えて、横方向の両方が開口している筒状の素材が手先４の外側に固定されてもよい。
【００５１】
（装着方法）
図１（ｂ）及び図２（ａ）〜図２（ｃ）を参照して、和服用帯１の装着方法について説明する。
【００５２】
装着者は、図１（ｂ）に示されるように、和服用帯１の装着前に、予め、帯揚げ５ｂでくるんだ帯枕５ａを帯枕保持部３１に通すとともに、帯締め５ｃを帯締保持部４１（の右帯締通し４１ａ及び左帯締通し４１ｂのそれぞれ）に通しておく。
【００５３】
続いて、図２（ａ）に示されるように、装着者は、和服用帯１を履くようにして、自身の胴回り付近にまで持ち上げる。この状態では、胴帯２の径が装着者の胴回りよりも大きいため、装着者の胴と胴帯２との間にはやや余裕がある。
【００５４】
続いて、図２（ｂ）に示されるように、装着者は、一方の手（第１の手Ｈ１）で和服用帯１を保持しながら、他方の手（第２の手Ｈ２）で胴帯２とお太鼓３との連結部分付近の胴帯２をお太鼓３内部に向けて折りたたみ、胴帯２が装着者の胴にフィットするようにする。
【００５５】
装着者は、第２の手Ｈ２で折り畳み部分を抑えながら、帯締め５ｃの右側部分を掴み、当該、帯締め５ｃの右側部分を胴回り方向に回していく。
【００５６】
同時に、装着者は、第１の手Ｈ１で反対側の帯締め５ｃの左側部分を手に取り、当該帯締め５ｃの左側部分を胴帯２の周方向に這わせるようにして前方に持ってくる。
【００５７】
装着者は、第１の手Ｈ１で保持した帯締め５ｃの左側部分と第２の手Ｈ２で帯締め５ｃの右側部分とを蝶結び等任意の結び方で結ぶ。これにより、帯締め５ｃが外側から和服用帯１を押さえつけるので、和服用帯１が装着者の胴体に対して固定される。
【００５８】
この後、図２（ｃ）に示されるように、装着者は、左右の帯揚げ５ｂを装着者の胴回りに回すようにして前方に持ってきたうえで、当該帯揚げ５ｂを装着者の前方で結ぶことにより、帯枕５ａの位置を固定する。
【００５９】
このように、簡易な手法により、装着者は和服用帯１を装着することが出来る。
【００６０】
（帯締保持部の変形態様）
本実施形態の帯締保持部４１に代えて、以下の帯締保持部が採用されてもよい。
【００６１】
本実施形態では、図３（ａ）に示されるように、各帯締通し４１ａ、４１ｂはその上下の２か所で手先４に連結されていたが、これに代えて、図３（ｂ）に示されるように、各帯締通し４１ｃ、４１ｄが、上下及び中央の３か所で手先４に連結されてもよい。これにより、図３（ｂ）に示されるように、上側帯締め５ｄと下側帯締め５ｅとを同時に使用する場合にも、当該帯締め５ｄ，５ｅの和服用帯１に対する相対的な位置を適切な位置に保持することが出来る。
【００６２】
また、本実施形態では、各帯締通し４１ａ、４１ｂの上下方向の位置が同一となるように、すなわち、各帯締通し４１ａ、４１ｂに通された帯締め５ｃが左右方向に平行となるように各帯締通し４１ａ、４１ｂが手先４に設けられたが、これに代えて、各帯締通し４１ｅ、４１ｆの上下方向の位置が異なるように、すなわち、各帯締通し４１ａ、４１ｂに通された帯締め５ｆが左右方向に非平行となるように（たとえば図４（ａ）に示されるように、帯締め５ｆが右上がりになるように）各帯締通し４１ｅ、４１ｆが手先４に設けられてもよい。この場合の各帯締通し４１ｅ、４１ｆの左右方向に対する傾斜角度は、帯締め５ｆを装着者の胴回りに這わせるように回した場合に、胴帯２から逸脱しない程度の傾斜角度であることが好ましい。
【００６３】
また、これに代えてまたは加えて、図４（ｂ）に示されるように、帯締め５ｇが右下がりになるように各帯締通し４１ｇ、４１ｈが設けられてもよい。
【００６４】
これらの帯締通し４１ｅ〜４１ｈは、その通路を確定するための連結部分（縫合の倍の縫い目等）の延在方向が、その通路を通過する帯締め５ｃ〜５ｇに対して平行になるように形成されていることが好ましい。
【００６５】
また、図５に示されるように、上記の各帯締通し４１ａ、４１ｂ、４１ｃ、４１ｄ、４１ｅ、４１ｆ、４１ｇ、及び４１ｈの全てが第１面に設けれてもよい。
【００６６】
なお、帯締通しは必ずしも２つである必要はなく、幅広の帯締通しが１つだけ設けられてもよいし、３つ以上設けられていてもよい。たとえば、左右方向が長辺となる長方形の布等の素材の上下端がお太鼓３の手先４に左右方向に対して非平行となるように固定されることにより、幅広の帯締通しが１つだけ設けられてもよい。
【符号の説明】
【００６７】
１‥和服用帯、２‥胴帯、３‥お太鼓、４‥手先、３１‥帯枕保持部、４１‥帯締通し部、５ａ‥帯枕、５ｂ‥帯揚げ、５ｃ‥帯締め。
【図１】
0006677941.tif 000002
【図２】
0006677941.tif 000003
【図３】
0006677941.tif 000004
【図４】
0006677941.tif 000005
【図５】
0006677941.tif 000006